(57)【特許請求の範囲】
【請求項１】
第１の偏光板とハーフミラーと映像表示装置とを視認側からこの順に備える映像表示ミラーと、第２の偏光板とを備える、車両であって、
該映像表示ミラーが、該車両の運転者に視認可能なように配置され、
該ハーフミラーが、該映像表示装置の映像表示時と映像非表示時とで、異なる方向を向くように構成され、
該映像表示装置の映像表示時において、該第２の偏光板を透過した光が該映像表示ミラーの該第１の偏光板側に到達するように、該第２の偏光板が配置され、
該映像表示ミラーに到達した第２の偏光板の透過光が、該第１の偏光板を透過しないように構成される、
車両。
【請求項２】
前記ハーフミラーが、映像非表示時においては、運転者が反射像により後方確認が可能な配置および角度となり、映像表示時においては、映像非表示時とは異なる方向を向くように構成される、
請求項１に記載の車両。
【請求項３】
前記車両が、光を透過する天井を備え、
前記第２の偏光板が、該天井に配置される、
請求項１または２に記載の車両。
【請求項４】
第１の偏光板とハーフミラーと映像表示装置とを視認側からこの順に備える映像表示ミラーと、第２の偏光板とから構成されるセットであって、
該第２の偏光板を透過した光が、該映像表示ミラーの該第１の偏光板側に到達するように、該第２の偏光板を配置したとき、該映像表示ミラーに到達した第２の偏光板の透過光が、該第１の偏光板を透過しない、
セット。
【発明の詳細な説明】
【技術分野】
【０００１】
本発明は、車両に関する。より詳細には、映像表示装置付のミラーを備える車両に関する。
【背景技術】
【０００２】
従来、車両用のバックミラーに映像表示装置を組み合わせて映像を表示する技術が知られている。例えば、特許文献１においては、モニタの前面（視認側面）にハーフミラーを配置して構成される映像表示ミラーが開示されている。この映像表示ミラーでは、ハーフミラーによる反射像により後方の視認が可能となり、一方、モニタに映像を表示した際にはその映像がハーフミラーを通して視認可能となる。
【０００３】
このような映像表示ミラーにおいては、車両後方からの光量が多い場合などには、反射像が、モニタに表示された映像の視認性を阻害するという問題がある。引用文献１においては、視認者（乗員）が後方を視認する際とモニタ映像を視認する際とで、ハーフミラーの角度を異なる角度にすることで、反射像の影響を低減するという技術が提案されている。このような技術によれば、モニタ映像を視認する際、ハーフミラーによる反射像がモニタ映像の視認性を阻害しないような像となるように、具体的には、反射により天井が写るようにハーフミラーの角度を調整して、反射像の影響が低減され得る。
【０００４】
しかしながら、ハーフミラーによる反射像をモニタ映像の視認性を阻害しないような像とすることが困難な場合、例えば、パノラミックルーフ、サンルーフ等の光を透過する天井を備える車両またはオープンカーに適用する場合、引用文献１の映像表示ミラーでは、反射像の影響を低減することができない。
【先行技術文献】
【特許文献】
【０００５】
【特許文献１】特許第５２７３２８６号
【発明の概要】
【発明が解決しようとする課題】
【０００６】
本発明は上記従来の課題を解決するためになされたものであり、その目的とするところは、ハーフミラーと映像表示装置とから構成される映像表示ミラーを備え、該ハーフミラーによる反射像の影響を低減して、映像表示装置に表示された映像を視認性よく視認することを可能とする車両を提供することにある。
【課題を解決するための手段】
【０００７】
本発明の車両は、第１の偏光板とハーフミラーと映像表示装置とを視認側からこの順に備える映像表示ミラーと、第２の偏光板とを備える、車両であって、該映像表示ミラーが、該車両の運転者に視認可能なように配置され、該ハーフミラーが、該映像表示装置の映像表示時と映像非表示時とで、異なる方向を向くように構成され、該映像表示装置の映像表示時において、該第２の偏光板を透過した光が該映像表示ミラーの該第１の偏光板側に到達するように、該第２の偏光板が配置され、該映像表示ミラーに到達した第２の偏光板の透過光が、該第１の偏光板を透過しないように構成される。
１つの実施形態においては、上記ハーフミラーが、映像非表示時においては、運転者が反射像により後方確認が可能な配置および角度となり得、映像表示時においては、映像非表示時とは異なる方向を向くように構成される。
１つの実施形態においては、上記車両が、光を透過する天井を備え、前記第２の偏光板が、該天井に配置される。
本発明の別の局面によれば、映像表示ミラーと第２の偏光板とから構成されるセットが提供される。このセットは、第１の偏光板とハーフミラーと映像表示装置とを視認側からこの順に備える映像表示ミラーと、第２の偏光板とから構成されるセットであって、該第２の偏光板を透過した光が、該映像表示ミラーの該第１の偏光板側に到達するように、該第２の偏光板を配置したとき、該映像表示ミラーに到達した第２の偏光板の透過光が、該第１の偏光板を透過しない。
【発明の効果】
【０００８】
本発明の車両においては、ハーフミラーによる反射像の影響が低減し、映像表示装置に表示された映像の視認性に優れる。
【図面の簡単な説明】
【０００９】
【図１】本発明の１つの実施形態による車両の概略図である。
【図２】本発明の１つの実施形態に用いられる映像表示ミラーの概略断面図である。
【図３】本発明の作用を説明する概略図である。
【図４】本発明の１つの実施形態に用いられる映像表示ミラーの概略図である。
【発明を実施するための形態】
【００１０】
以下、図面を参照して本発明の実施形態について説明するが、本発明はこれらの実施形態には限定されない。
【００１１】
Ａ．車両の概要
図１は、本発明の１つの実施形態による車両の概略図である。車両１００は、映像表示ミラー１０と、第２の偏光板２０とを備える。また、図２は、本発明の１つの実施形態に用いられる映像表示ミラー１０の概略断面図である。本実施形態の映像表示ミラー１０は、車両の運転者に視認可能なように配置され得、例えば、車両のバックミラー（ルームミラー）として用いられ得る。映像表示ミラー１０は、視認側から順に、第１の偏光板１１と、ハーフミラー１２と、映像表示装置１３とを備える。ハーフミラー１２は、光反射機能と光透過機能とを備える。映像表示ミラー１０は、ハーフミラー１２の光反射機能により、車両の乗員による後方の視認を可能とする。ハーフミラー１２の光反射機能により反射像が視認される場合、映像表示装置１３は映像非表示状態となる。一方、映像表示ミラー１０においては、ハーフミラー１２の光透過機能により、映像表示装置１３に表示された映像を視認することが可能となる。映像表示装置１３は、例えば、車両の後方を写す外部カメラによる映像を表示する。このようにすれば、車両内に障害物（例えば、同乗者、荷物等）があり、ハーフミラーの反射像では車両後方を十分に確認できない場合などでも、映像表示装置に外部カメラによる映像を表示して、車両の安全を確保することができる。
【００１２】
映像表示ミラー１０においては、少なくともハーフミラーの向きが変更可能であり、該ハーフミラー１２は、映像表示ミラー１０が備える映像表示装置の映像表示時と映像非表示時とで、異なる方向を向くように構成されている。より具体的には、図３に示すように、ハーフミラー１２は、映像非表示時（図３（ａ））においては、運転者が反射像により後方確認が可能な配置および角度となり得、映像表示時（図３（ｂ））においては、映像非表示時とは異なる方向を向くように構成される。
【００１３】
上記映像表示装置の映像表示時において、第２の偏光板を透過した光が該映像表示ミラーの第１の偏光板側（視認側）に到達するように、第２の偏光板は配置される。より具体的には、上記第２の偏光板２０は、下記（ｉ）〜（ｉｉｉ）をすべて満たす位置に配置され得る；
（ｉ）運転者（視認者）と映像表示ミラーとの間以外の位置、すなわち、運転者が、該第２の偏光板を介して映像表示ミラーを視認し得ない位置；
（ｉｉ）映像表示時におけるハーフミラーの反射面を基準に運転者の目の位置からの正反射方向Ａにある位置（第１の偏光板が存在しないと仮定した場合に、運転者の目の位置から見てハーフミラーに第２の偏光板が映る位置）；
（ｉｉｉ）映像非表示時において、運転者の目の位置から見てハーフミラーに映らない位置（第１の偏光板が存在しないと仮定した場合であっても、運転者の目の位置から見てハーフミラーに第２の偏光板が写らない位置）。
【００１４】
上記（ｉ）〜（ｉｉｉ）をすべて満たす位置としては、例えば、車両の天井が挙げられる。１つの実施形態においては、本発明の車両は光を透過する天井（サンルーフ、パノラミックルーフ）を備え、上記第２の偏光板が該天井に配置される（図１）。光を透過する天井を備える車両でありながら、ハーフミラーの向きを変更することにより、映像表示装置の視認性を向上させ得ることが、本発明の成果のひとつである。また、別の実施形態においては、上記第２の偏光板は側面窓に配置される。さらに別の実施例においては、車両の窓（例えば、側面窓、サンルーフ、パノラミックルーフ）と映像表示ミラーとの間であり、かつ、上記（ｉ）〜（ｉｉｉ）をすべて満たす位置に配置され得る。本発明においては、外光の影響を抑えて映像表示装置の視認性を向上させることができ、車両形状の制約が少なく、外光が入りやすい車両であっても所望の効果を得ることができる。
【００１５】
本発明の車両は、映像表示ミラーに到達した第２の偏光板の透過光（図３（ｂ）における光ａ）が、第１の偏光板１１を透過しないように構成される。なお、本明細書においては、光が透過しないとは、光が実質的に透過しない場合も包含し、光透過率が１０％以下（好ましくは２％以下）である場合を含む。好ましくは、該第２の偏光板の透過光が、第１の偏光板１１に吸収される。１つの実施形態においては、第１の偏光板１１および第２の偏光板２０として直線偏光子を備える偏光板（直線偏光板）を用い、第２の偏光板２０を透過して生成された直線偏光が第１の偏光板１１に吸収されるように、両偏光板が備える直線偏光子の角度を調整して、上記車両は構成される。別の実施形態においては、第１の偏光板１１および第２の偏光板２０として円偏光板を用い、第２の偏光板２０を透過して生成された円偏光が、第１の偏光板１１に吸収されるようにして、上記車両は構成される。なお、第１の偏光板１１として円偏光板を用いた場合、偏光サングラスの使用者に対する視認性に優れる車両用映像表示ミラーを得ることができる。
【００１６】
本発明においては、映像表示装置が映像を表示しない際にはハーフミラーの反射像が視認される。一方、映像表示時には、ハーフミラーを基準に運転者からの正反射方向から入射する光が、第１の偏光板に吸収されるため、反射像の影響が抑制されて、映像表示装置の映像が視認しやすくなる。
【００１７】
Ｂ．映像表示ミラー
上記のとおり、視認側から順に、第１の偏光板１１と、ハーフミラー１２と、映像表示装置１３とを備える。
【００１８】
上記映像表示ミラーにおいては、ハーフミラーが角度（向き）可変に構成されている。ハーフミラーのみが角度可変であってもよく、第１の偏光板および／または映像表示装置と共に、ハーフミラーの角度を変更し得る構成であってもよい。ハーフミラーの角度を変更するための機構としては、任意の適切な機構が採用され得る。例えば、特許第５２７３２８６号に記載の機構が採用され得る。当該特許文献の記載は、本明細書に参考として援用される。
【００１９】
１つの実施形態においては、図４に示すように、ハーフミラーの反射面と映像表示装置の映像表示面とのなす角度ｏを、０°より大きく４５°以下に設定する。このような構成の映像表示ミラーにおいては、映像表示ミラー全体の向きを変えることにより、図４（ａ）に示すように運転者が反射像を視認しようとする際（すなわち、ハーフミラーが反射像として後方を写す際）のハーフミラーの向きと、図４（ｂ）に示すように運転者が映像表示装置に表示された映像を視認しようとする際（すなわち、ハーフミラーの反射像の影響を抑えたい場合）のハーフミラーの向きとを、異なる向きとすることができる。このような形態であれば、後述のように、ハーフミラーと映像表示装置とを層間充填により密着させることが可能となる。この実施形態において、ハーフミラーの反射面と映像表示装置の映像表示面とのなす角度ｏは、好ましくは５°〜４０°であり、より好ましくは１０°〜３０°である。
【００２０】
第１の偏光板とハーフミラー、および／またはハーフミラーと映像表示装置とは、接していてもよく、接していなくてもよい。好ましくは、第１の偏光板とハーフミラーとの間には透明樹脂が充填され、両部材が密着している。同様に、ハーフミラーと映像表示装置との間にも、透明樹脂が充填されていることが好ましい。これらのように、第１の偏光板とハーフミラー、および／またはハーフミラーと映像表示装置とを密着させることにより、光の利用効率に優れ、かつ、映像表示の視認性に優れる映像表示ミラーを得ることができる。層間充填には、任意の適切な樹脂フィルム、粘着剤等を用いることができる。粘着剤としては、透明性に優れる粘着剤が好ましく用いられる。例えば、アクリル系粘着剤、シリコーン系粘着剤、ゴム系粘着剤等が挙げられる。
【００２１】
Ｂ−１．第１の偏光板
第１の偏光板としては、直線偏光板（ＬＰ１）または円偏光板（ＣＰ１）が用いられ得る。
【００２２】
Ｂ−１−１．直線偏光板
偏光板は、代表的には、偏光子と、偏光子の片側または両側に配置された保護層とを有する。偏光子は、代表的には吸収型偏光子である。
【００２３】
上記偏光子の波長５８９ｎｍの透過率（単体透過率ともいう）は、好ましくは４１％以上であり、より好ましくは４２％以上である。なお、単体透過率の理論的な上限は５０％である。また、偏光度は、好ましくは９９．５％〜１００％であり、更に好ましくは９９．９％〜１００％である。
【００２４】
上記偏光子としては、任意の適切な偏光子が用いられる。例えば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料等の二色性物質を吸着させて一軸延伸したもの、ポリビニルアルコールの脱水処理物やポリ塩化ビニルの脱塩酸処理物等ポリエン系配向フィルム等が挙げられる。これらの中でも、ポリビニルアルコール系フィルムにヨウ素などの二色性物質を吸着させて一軸延伸した偏光子が、偏光二色比が高く、特に好ましい。偏光子の厚みは、好ましくは、０．５μｍ〜８０μｍである。
【００２５】
ポリビニルアルコール系フィルムにヨウ素を吸着させて一軸延伸した偏光子は、代表的には、ポリビニルアルコールをヨウ素の水溶液に浸漬することによって染色し、元長の３倍〜７倍に延伸することで作製される。延伸は染色した後に行ってもよいし、染色しながら延伸してもよいし、延伸してから染色してもよい。延伸、染色以外にも、例えば、膨潤、架橋、調整、水洗、乾燥等の処理が施されて作製される。
【００２６】
上記保護層としては、任意の適切なフィルムが用いられる。このようなフィルムの主成分となる材料の具体例としては、トリアセチルセルロース（ＴＡＣ）等のセルロース系樹脂や、（メタ）アクリル系、ポリエステル系、ポリビニルアルコール系、ポリカーボネート系、ポリアミド系、ポリイミド系、ポリエーテルスルホン系、ポリスルホン系、ポリスチレン系、ポリノルボルネン系、ポリオレフィン系、アセテート系等の透明樹脂等が挙げられる。また、アクリル系、ウレタン系、アクリルウレタン系、エポキシ系、シリコーン系等の熱硬化型樹脂または紫外線硬化型樹脂等も挙げられる。この他にも、例えば、シロキサン系ポリマー等のガラス質系ポリマーも挙げられる。また、特開２００１−３４３５２９号公報（ＷＯ０１／３７００７）に記載のポリマーフィルムも使用できる。このフィルムの材料としては、例えば、側鎖に置換または非置換のイミド基を有する熱可塑性樹脂と、側鎖に置換または非置換のフェニル基ならびにニトリル基を有する熱可塑性樹脂を含有する樹脂組成物が使用でき、例えば、イソブテンとＮ−メチルマレイミドからなる交互共重合体と、アクリロニトリル・スチレン共重合体とを有する樹脂組成物が挙げられる。上記ポリマーフィルムは、例えば、前記樹脂組成物の押出成形物であり得る。
【００２７】
Ｂ−１−２．円偏光板（ＣＰ１）
上記円偏光板（ＣＰ１）としては、直線偏光子とλ／４板の積層体が用いられ得る。λ／４板は、円偏光板（ＣＰ１）が備える直線偏光子の吸収軸とλ／４板の遅相軸を±４５°程度になるように積層した場合に、直線偏光を円偏光に（または、円偏光を直線偏光に）変換する機能を有する。λ／４板の波長５９０ｎｍにおける正面位相差Ｒ０は、９０ｎｍ〜１９０ｎｍであり、好ましくは１００ｎｍ〜１８０ｎｍであり、さらに好ましくは１１０ｎｍ〜１７０ｎｍである。なお、本明細書において正面位相差Ｒ０は、２３℃下において、面内の屈折率が最大になる方向（すなわち、遅相軸方向）の屈折率をｎｘとし、面内で遅相軸と直交する方向（すなわち、進相軸方向）の屈折率をｎｙとし、位相差フィルムの厚みをｄ（ｎｍ）としたとき、Ｒ０＝（ｎｘ−ｎｙ）×ｄによって求められる。λ／４板は、ｎｘ＞ｎｙの関係を有する限り、任意の適切な屈折率楕円体を示す。例えば、λ／４板の屈折率楕円体は、ｎｘ＞ｎｚ＞ｎｙまたはｎｘ＞ｎｙ≧ｎｚの関係を示す。
【００２８】
上記円偏光板（ＣＰ１）が備える直線偏光子の吸収軸と、λ／４板の遅相軸との角度は、好ましくは＋４０°〜＋５０°または−４０°〜−５０°であり、より好ましくは＋４３°〜＋４７°または−４３°〜−４７°であり、さらに好ましくは＋４５°または−４５°である。
【００２９】
好ましくは、上記円偏光板（ＣＰ１）は、λ／４板が直線偏光子よりも視認側になるようにして配置される。すなわち、λ／４板、直線偏光子およびハーフミラーは、視認側からこの順に配置されることが好ましい。このような配置とすれば、第１の偏光板と第２の偏光板とをともに円偏光板とする場合に、第２の偏光板を透過して生成された円偏光を、第１の円偏光板に吸収させることが可能となり、上記映像表示装置が映像を表示する際の反射像の影響を抑制することができる。
【００３０】
上記円偏光板（ＣＰ１）の厚みは、好ましくは２００μｍ以下であり、より好ましくは１０μｍ〜１８０μｍであり、さらに好ましくは１０μｍ〜１６０μｍである。
【００３１】
上記λ／４板を構成する材料は、本発明の効果が得られる限りにおいて、任意の適切な材料で形成され得る。代表例としては、高分子フィルムの延伸フィルムである。当該高分子フィルムを形成する樹脂としては、例えば、ポリカーボネート系樹脂、シクロオレフィン系樹脂等が挙げられる。
【００３２】
上記高分子フィルムを延伸してλ／４板が形成され得る。高分子フィルムの延伸倍率および延伸温度を調整して、λ／４板の正面位相差および厚み方向の位相差を制御することができる。
【００３３】
延伸倍率は、λ／４板に所望される正面位相差、厚み方向の位相差、λ／４板に所望される厚み、使用される樹脂の種類、使用される高分子フィルムの厚み、延伸温度などに応じて、適宜変化し得る。具体的には、延伸倍率は、好ましくは１．１倍〜２．５倍、より好ましくは１．２５倍〜２．４５倍、さらに好ましくは１．４倍〜２．４倍である。
【００３４】
延伸温度は、λ／４板に所望される正面位相差、厚み方向の位相差、λ／４板に所望される厚み、使用される樹脂の種類、使用される高分子フィルムの厚み、延伸倍率などに応じて、適宜変化し得る。具体的には、延伸温度は、好ましくは１００℃〜２５０℃、より好ましくは１０５℃〜２４０℃、さらに好ましくは１１０℃〜２４０℃である。
【００３５】
延伸方法は上記のような光学特性および厚みが得られる限りにおいて、任意の適切な方法が採用される。具体例としては、自由端延伸および固定端延伸が挙げられる。好ましくは自由端一軸延伸が用いられ、さらに好ましくは自由端縦一軸延伸が用いられる。
【００３６】
上記λ／４板の全光線透過率は、好ましくは８０％以上であり、より好ましくは８５％以上であり、さらに好ましくは９０％以上である。
【００３７】
上記円偏光板に備えられる直線偏光子としては、例えば、上記Ｂ−１−１項で説明した直線偏光子が用いられ得る。
【００３８】
Ｃ．ハーフミラー
上記ハーフミラーとしては、入射光の一部を透過し、かつ一部を反射し得る限り、任意の適切なミラーが用いられ得る。例えば、透明基材と該透明基材上に形成された金属薄膜とを備えるハーフミラー、透明基材と該透明基材上に形成された誘電体多層膜とを備えるハーフミラー等が挙げられる。
【００３９】
上記透明基材を構成する材料としては、任意の適切な材料が用いられ得る。該材料としては、例えば、ポリメタクリル酸メチル、ポリカーボネート、エポキシ樹脂等の透明樹脂材料；ガラス；等が挙げられる。透明基材の厚みは、例えば、２０μｍ〜５０００μｍである。上記透明基材は、位相差を有さないことが好ましい。
【００４０】
上記金属薄膜を構成する材料としては、光反射率の高い金属が用いられ得、例えば、アルミニウム、銀、錫等が挙げられる。金属薄膜は、例えば、メッキ、蒸着等により、形成することができる。金属薄膜の厚みは、例えば、２ｎｍ〜８０ｎｍであり、好ましくは３ｎｍ〜５０ｎｍである。
【００４１】
上記誘電体多層膜は、ミラーとしての機能を有するように、所定の厚さの高屈折率材料と低屈折率材料とが積層されている。好ましくは、高屈折率材料と低屈折率材料とが交互に積層されており、低屈折材料から高屈折材料に入射する際に発生する光の干渉を利用して、ハーフミラーとしての機能が発現する。誘電体多層膜を含むハーフミラーは、光の吸収が少ない点で好ましい。
【００４２】
上記高屈折材料の屈折率は、好ましくは２．０より高く、より好ましくは２．０より高く３．０以下である。高屈折材料の具体例としては、例えば、ＺｎＳ−ＳｉＯ２、ＴｉＯ２、ＺｒＯ２、Ｔａ２Ｏ３等が挙げられる。上記低屈折材料の屈折率は、好ましくは１．２〜２．０であり、より好ましくは１．４〜１．９である。低屈折材料の具体例としては、例えば、ＳｉＯ２、Ａｌ２Ｏ３、ＭｇＦ等が挙げられる。
【００４３】
上記ハーフミラーの可視光反射率は、好ましくは２０％〜８０％であり、より好ましくは３０％〜７０％であり、さらに好ましくは４０％〜６０％である。また、上記ハーフミラーの可視光透過率は、好ましくは２０％〜８０％であり、より好ましくは３０％〜７０％であり、さらに好ましくは４０％〜６０％である。可視光反射率、可視光透過率およびこれらの比（後述）は、金属薄膜または誘電体多層膜の厚みを制御することにより、調整することができる。
【００４４】
上記ハーフミラーの可視光反射率と可視光透過率との比（反射率：透過率）は、好ましくは２：８〜８：２であり、より好ましくは３：７〜７：３であり、さらに好ましくは４：６〜６：４である。可視光反射率と可視光透過率との比は、映像表示装置の輝度等に応じて、適切に調整され得る。
【００４５】
Ｄ．映像表示装置
上記映像表示装置としては、任意の適切なものが使用され得る。例えば、液晶表示装置、有機ＥＬ表示装置、プラズマ表示装置等が挙げられる。以下、液晶表示装置を代表例として説明する。１つの実施形態において、液晶表示装置は、図１に示すように、液晶セル１と、該液晶セル１の視認側に配置された偏光板ａ２と、該液晶セル１の背面側に配置された偏光板ｂ３とを含む液晶パネルを備える。なお、図示していないが、映像表示装置は、必要に応じて、任意の適切な他の部材（例えば、バックライトユニット等）を備え得る。この実施形態において、偏光板ａと偏光板ｂとは、それぞれの偏光子の吸収軸が実質的に直交または平行となるようにして映像を視認可能に配置され得る。
【００４６】
第１の偏光板として直線偏光板を用いる場合、該第１の偏光板と偏光板ａとはそれぞれの偏光子の吸収軸が実質的に平行となるようにして配置され得る。
【００４７】
ひとつの実施形態においては、第１の偏光板として直線偏光板を用い、かつ、図１に示した映像表示装置（液晶表示装置）１３から偏光板ａ２が省略される。すなわち、この実施形態においては、液晶セルの視認側には偏光板を含まない液晶表示装置が用いられる。この場合には、第１の偏光板と偏光板ｂとは、それぞれの偏光子の吸収軸が実質的に直交または平行となるように映像を視認可能に配置される。この形態では偏光板ａによる光ロスをなくすことができるため、映像表示ミラーを高輝度化することができる。
【００４８】
Ｄ−１．液晶セル
液晶セルは、一対の基板と、当該基板間に挟持された表示媒体としての液晶層とを有する。一般的な構成においては、一方の基板に、カラーフィルター及びブラックマトリクスが設けられており、他方の基板に、液晶の電気光学特性を制御するスイッチング素子と、このスイッチング素子にゲート信号を与える走査線及びソース信号を与える信号線と、画素電極及び対向電極とが設けられている。上記基板の間隔（セルギャップ）は、スペーサー等によって制御できる。上記基板の液晶層と接する側には、例えば、ポリイミドからなる配向膜等を設けることができる。
【００４９】
１つの実施形態においては、液晶層は、電界が存在しない状態でホモジニアス配列に配向させた液晶分子を含む。このような液晶層（結果として、液晶セル）は、代表的には、ｎｘ＞ｎｙ＝ｎｚの３次元屈折率を示す。なお、本明細書において、ｎｙ＝ｎｚとは、ｎｙとｎｚが完全に同一である場合だけでなく、ｎｙとｎｚとが実質的に同一である場合も包含する。このような３次元屈折率を示す液晶層を用いる駆動モードの代表例としては、インプレーンスイッチング（ＩＰＳ）モード、フリンジフィールドスイッチング（ＦＦＳ）モード等が挙げられる。なお、上記のＩＰＳモードは、Ｖ字型電極又はジグザグ電極等を採用した、スーパー・インプレーンスイッチング（Ｓ−ＩＰＳ）モードや、アドバンスド・スーパー・インプレーンスイッチング（ＡＳ−ＩＰＳ）モードを包含する。また、上記のＦＦＳモードは、Ｖ字型電極又はジグザグ電極等を採用した、アドバンスド・フリンジフィールドスイッチング（Ａ−ＦＦＳ）モードや、ウルトラ・フリンジフィールドスイッチング（Ｕ−ＦＦＳ）モードを包含する。
【００５０】
別の実施形態においては、液晶層は、電界が存在しない状態でホメオトロピック配列に配向させた液晶分子を含む。このような液晶層（結果として、液晶セル）は、代表的には、ｎｚ＞ｎｘ＝ｎｙの３次元屈折率を示す。電界が存在しない状態でホメオトロピック配列に配向させた液晶分子を用いる駆動モードとしては、例えば、バーティカル・アライメント（ＶＡ）モードが挙げられる。ＶＡモードは、マルチドメインＶＡ（ＭＶＡ）モードを包含する。
【００５１】
Ｄ−２．偏光板ａ、偏光板ｂ
偏光板ａおよび偏光板ｂとしては、上記Ｂ−１−１項で説明したような直線偏光板が用いられ得る。
【００５２】
Ｅ．第２の偏光板
第２の偏光板としては、直線偏光板（ＬＰ２）または円偏光板（ＣＰ２）が用いられ得る。第１の偏光板として直線偏光板（ＬＰ１）を用いる場合、第２の偏光板としては、直線偏光板（ＬＰ２）が用いられ得る。一方、第１の偏光板として円偏光板（ＣＰ１）を用いる場合、第２の偏光板としては、円偏光板（ＣＰ２）が用いられ得る。
【００５３】
Ｅ−１．直線偏光板（ＬＰ１）
直線偏光板（ＬＰ１）としては、上記Ｂ−１−１項で説明した直線偏光板が用いられ得る。
【００５４】
Ｅ−２．円偏光板（ＣＰ２）
円偏光板（ＣＰ２）としては、上記Ｂ−１−２項で説明した円偏光板が用いられ得る。
【００５５】
本発明の車両においては、第２の偏光板から出射する円偏光を映像表示ミラーに入射させるように構成され、円偏光板（ＣＰ２）は、λ／４板が直線偏光子よりも出射側（映像表示ミラーに近い側；図３における紙面下側）に位置するようにして配置されることが好ましい。このとき、第２の偏光板としての円偏光板（ＣＰ２）および第１の偏光板としての円偏光板（ＣＰ１）が備える直線偏光子の吸収軸は、第２の偏光板を透過して生成された円偏光が第１の偏光板に吸収されるような角度に調整される。
【００５６】
Ｆ．映像表示ミラーと第２の偏光板とのセット
１つの実施形態においては、映像表示ミラーと第２の偏光板とのセットが提供される。該セットは、車両に適用し得る。該セットを構成する映像表示ミラーおよび第２の偏光板、ならびにこれらの配置方法は、上記で説明したとおりである。
【符号の説明】
【００５７】
１０    映像表示ミラー
１１    第１の偏光板
１２    ハーフミラー
１３    映像表示装置
２０    第２の偏光板
１００  車両
【図１】
0006425570.tif 000002
【図２】
0006425570.tif 000003
【図３】
0006425570.tif 000004
【図４】
0006425570.tif 000005